(57)【特許請求の範囲】
【請求項１】
インターロックにより多数段連綴されるスラットからなるシャッターにおいて、最下端のスラットを構成する座板には前記座板の直上スラットの下側インターロック部と係合する上側インターロック部が形成されると共に前記上側インターロック部より上方にある屋内側上端部から屋内方向に水平突出辺を形成させる一方、前記直上スラットの中間部には屋内側に先端部を臨ませる突状部を形成させ、前記水平突出辺が前記突状部の屋内側先端部と略同一レベルの位置になるようにして、前記突状部と前記水平突出辺で形成される面部とで手掛け領域を確保する構成としたことを特徴とするシャッター。
【請求項２】
前項において、突状部の上面が水平面部を有することを特徴とするシャッター。
【発明の詳細な説明】
【０００１】
【発明の属する技術分野】
本発明は、軽量シャッターのシャッターカーテンを構成するスラットに係り、特に窓シャッターのスラットに関するものである。
【０００２】
【従来の技術】
建物の外壁周りの窓に外付けされ、インターロックにより多数段連綴されるスラットからなる窓シャッターにおいては、シャッターの開閉を手動操作により行うに際し、スラットに嵌着させた手掛けに指を掛けて引き降ろし、引き上げを行ったり、スラットのインターロック部に指を押圧して操作する等の手段を講じていた。
【０００３】
【発明が解決しようとする課題】
しかし、かかる従来のシャッターにおいては、いわゆる手掛部品を設けるためには手掛け用スラットを別途用意しなければならなかった。またスラットを直接下方に引っ張ってシャッターを下ろす場合には、スラットの断面形状がインターロック部以外の中間部は直線状ないし湾曲状であるため、手先をかける部分は必然的にインターロック部ないし中間部からインターロック部に移行する部分に限られ、かかる部位には指先の一部しかかからないため、指先にかかる負担は大きくなっていた。さらに座板を直接把持して上げ下ろすこともできるが、どの部分を把持するのがよいのかは、経験と勘に頼らざるをえない。また図１０に示すように座板の高さ方向の中間部に屋内が向け突起辺を有するものもあるが、かかる突起辺に指先をかけてシャッターを降ろそうとすると、座板下端が前屈してガイドレールの屋外側案内溝に擦接するため、一層テクニックを要していた。電動式窓シャッターにおいても、停電時等ではこれらと同様の操作をせざるを得ない。
【０００４】
本発明は、かかる問題点にかんがみ、座板と直上のスラットの構成部分を利用して簡単に手作業による操作をすることができるシャッターを提供することを目的とする。
【０００５】
【課題を解決するための手段】
そのための手段として本発明に係るシャッターは、インターロックにより多数段連綴されるスラットからなるシャッターにおいて、最下端のスラットを構成する座板には前記座板の直上スラットの下側インターロック部と係合する上側インターロック部が形成されると共に前記上側インターロック部より上方にある屋内側上端部から屋内方向に水平突出辺を形成させる一方、前記直上スラットの中間部には屋内側に先端部を臨ませる突状部を形成させ、前記水平突出辺が前記突状部の屋内側先端部と略同一レベルの位置になるようにして、前記突状部と前記水平突出辺で形成される面部とで手掛け領域を確保する構成としたことを特徴とするものである。また、このものにおいて、突状部の上面が水平面部を有するようにすることが好ましい。
【０００６】
【作用】
このようにしたことにより本発明においては、▲１▼シャッターの閉鎖時には突状部と水平突出辺との両方にわたって手先全体でしっかり押すことができるので指先にかかる負担を軽減することができる。▲２▼突状部と水平突出辺との両方の表面を利用することができるから、水平突出辺のみを押す場合に比較し、水平突出辺の屋内方向への出寸法を可及的に小さくすることができる。▲３▼水平突出辺は座板の上端部に位置するため、サッシの下枠が手の邪魔にならず、一層シャッターを閉鎖し易くなる。▲４▼手掛け加工を施した別異のスラットを用意する必要もなく、手掛け部品も省略することができる。▲５▼指先による押圧は結果として突状部を垂下方向への加圧になるため、スラットをガイドレールのガイド溝に対し円滑に下ろすことができる。▲６▼突状部の上面が水平面であれば以上の効果が一層増すこととなる。
【０００７】
【発明の実施の形態】
図１ないし図４は本発明の第一の実施の形態を示すもので、図１はシャッターの閉鎖状態を示す断面図、図２は座板と直上のスラットとの係合いを示す断面図、図３は座板、水平突出辺とガイドレールとの取り合いを示す斜視図、図４はシャッターの縦断面図である。
【０００８】
図４において、１は建物の外壁、２はサッシ枠取付用の下地材、３は下地材２の建物屋外側に取り付くサッシ枠で上下枠３ａ、３ｂと左右の縦枠３ｃ、３ｃとで四方囲いされ、３ｄは障子である。４はサッシ枠３の上方に設けたシャッターケースで、建物の外壁１に釘（ないしボルト）６によって固設される。シャッターケース４は、正面ケース４ａ、上面ケース４ｂ、下面ケース４ｃ、４ｄおよび側面ケース４ｅから構成されている。５は軸受けブラケットであって、軸受け５ａにはシャッターを巻き取るための巻き胴５ｂが取付けられる。巻き胴５ｂには図示しない手作業での開閉を容易にする弾機が付設されている。
【０００９】
７は、ガイドレールであってサッシ枠３の左右縦枠３ｃ、３ｃにガイド溝７ａを対向させて立設される。８は、ガイドレール７の下端に設けた水切りであって、水切り８は、屋外方向にスロープする膳板部８ａ、先端水切り部８ｂ、固定辺８ｃ等より構成される。
水切り８は、サッシ下枠３ｂの下方にあって、固定辺８ｃを建物の外壁１に釘等で固着される。
【００１０】
９はシャッターカーテンを構成するスラットで、最下端のスラット１０は座板である。各スラット９は、上下に連綴させるための上側インターロック部９ａ、下側インターロック部９ｂ、中間部９ｃからなる。中間部９ｃから下側インターロック部９ｂに連続移行する部分９ｄは屋内側に先端部９ｅを臨ませる突状部を形成し、スラット９の長手方向全域に亘り、断面視において中間部９ｃの下端の先端部９ｅが屋内側方向に突成した形状となっている。一般的には、スラット９の断面形状は、中間部９ｃがフラットか若干屋外側に緩やかな湾曲状を有している。連綴されたスラット９は左右のガイドレール７、７の案内溝７ａ、７ａに嵌挿案内されて昇降するため、スラット９の厚さ寸法Ｘ１は案内溝７ａの溝幅寸法Ｘ２以内に規制される結果、突状部９ｄの屋内方向への出寸法も必然的に溝幅寸法Ｘ２以内となり、指先の一部しかかからない程度のものとなる。
なお、突状部９ｄは本実施の形態では下側インターロック部９ｂへの移行部位に設けてあるが、これに限定されるものではなく、たとえば中間部９ｃに図示しない複数の突状部９ｄ、９ｄ・・を設けても良いことはもとよりである。ただし、この場合には突状部９ｄ、９ｄ間に指先が入る程度の間隔をとることが望ましい。
【００１１】
座板１０は、直上のスラット９の下側インターロック部９ｂと係合するインターロック部１０ａ、中間部１０ｂ、室内側水切り部１０ｃ、室外側水切り部１０ｄ、錠取付け部１０ｅ、および水平突出辺１０ｆから構成される。
水平突出辺１０ｆは、上側インターロック部１０ａより上方にあって、前記突状部９ｄの先端部９ｅと水平突出辺１０ｆとは略同一レベルに位置するようになっている。水平突出辺１０ｆの室内方向への突出寸法は少なくとも図１に示すように、突状部９ｄと水平突出辺１０ｆとに指先を載せることができ、かつ、障子３ａおよびサッシ枠３に当接しない範囲であれば特に指定寸法を要しない。また、水平突出辺１０ｆの室内方向先端部をさらに若干立ち上げた起立辺１０ｇを設けてもよい。なお中間部９ｂの屋外側には、図示しない樹脂製のストッパーが取付けられており、シャッターがシャッターケース４内に巻き込まれるのを防止している。なお、水平突出辺１０ｆの上面をスリップ止めのために、凹凸状にすることもできる。
【００１２】
さて、以上のように構成された座板１０を有するシャッターにおいて、開放状態のシャッターを手動によって閉鎖させる場合には、以下のようにする。まず座板１０の室内側水切り１０ｃまたは水平突出辺１０ｆに手を掛け、座板１０を案内溝７ａを摺動させて下方に引く。これに伴って座板１０とインターロックで連綴される直上スラットおよびその上方の一連のスラットも同時に下がる。ある程度座板１０が下がった位置で指先を突状部９ｄと水平突出辺１０ｆを押し勝手にさらに下方に押す。しかして、水平突出辺１０ｆは室内側水切り１０ｃより上方の室内側に位置し、サッシ枠３の下枠より上方にもあるから、容易に座板１０を水切り８の膳板面８ａまで押し下げることができる。なお、この押し下げた状態で、錠取付け部１０ｅに収納された図示しない錠装置によって自動施錠されることになる。
【００１３】
シャッターを開放したい場合には、水平突出辺１０ｆを下方から押し上げるようにし、上述の閉鎖方法とほぼ反対の動作を行えば足りる。
【００１４】
図５は本発明の第二の実施の形態を示すものであって、シャッターの閉鎖状態を示す断面図である。本実施の形態において第一の実施の形態との差異は、突状部９ｄの上面を水平面部を有するようにしたものである。これによって指先が突状部９ｄ、水平突出辺１０ｆの両面に一層当たりやすくなり、シャッターの閉鎖がより楽になる。
【００１５】
図６および図７は本発明の第三の実施の形態を示すものであって、図６はシャッターの閉鎖状態を示す断面図である。
図７は、座板１０、水平突出辺１０ｆとガイドレール７との取り合いを示す斜視図である。
本実施の形態において第二の実施の形態との差異は、水平突出辺１０ｆの室内側への出寸法を小さくし、ガイドレールの案内溝７ａの溝幅Ｘ２以内にしたため、座板１０の長手方向の両端を案内溝７ａに対し切り欠きを要することなく、直接挿通することができるようにしたものである（図７）。
【００１６】
このようにしても、第一実施の形態と同様のシャッターの開閉を容易に行うことができる。
【００１７】
図８および図９は本発明の第四の実施の形態を示すものであって、図８はシャッターの閉鎖状態を示す断面図である。図９は座板１０、水平突出辺１０ｆとガイドレール７との取り合いを示す斜視図である。
本実施の形態において第三の実施の形態との差異は、水平突出辺１０ｆの屋内側への出寸法は同一としつつも、水平突出辺１０ｆの屋内側端部に付属的に取っ手１２を嵌着させたものである。取っ手１２は起立辺１０ｇに沿って座板１０の長手方向にスライドさせることもできる。したがって、取っ手１２の座板１０の長手方向への寸法は、指先がかかる程度の寸法があれば足りる。もとより、左右のガイドレール７、７間より若干短い寸法であっても良い。また、図９に示すようにガイドレールに近接した部位に小幅の取っ手１２を取り付けないしスライドさせることができる。なお、取っ手１２の材質は樹脂製、アルミニウム製でできている。
【００１８】
以上、要するに本発明は、スラットの突状部９ｄと座板１０の水平突出辺１０ｆで形成される面部とで手掛けに相当する領域を確保することにあり、上述した種々の本発明特有の作用効果を奏することができるようにしたものである。
【図面の簡単な説明】
【図１】第一の実施の形態におけるシャッターの閉鎖状態を示す断面図である。
【図２】第一の実施の形態における座板と直上のスラットとの係合いを示す断面図である。
【図３】第一の実施の形態における座板、水平突出辺とガイドレールとの取り合いを示す斜視図である。
【図４】第一の実施の形態における、シャッターの縦断面である。
【図５】第二の実施の形態におけるシャッターの閉鎖状態を示す断面図である。
【図６】第三の実施の形態におけるシャッターの閉鎖状態を示す断面図である。
【図７】第三の実施の形態における座板、水平突出辺とガイドレールとの取り合いを示す斜視図である。
【図８】第四の実施の形態におけるシャッターの閉鎖状態を示す断面図である。
【図９】第四の実施の形態における座板、水平突出辺とガイドレールとの取り合いを示す斜視図である。
【図１０】従来のシャッターの閉鎖状態を示す断面図である。
【符号の説明】
１    建物の外壁
２    下地枠
３    サッシ
４    シャッターケース
５    軸受けブラケット
７    ガイドレール
８    水切り
９    スラット
９ｃ  中間部
９ｄ  突状部
１０  座板
１０ｆ水平突出辺
１１  手掛け
【図１】
0003790983.tif 000002
【図２】
0003790983.tif 000003
【図３】
0003790983.tif 000004
【図４】
0003790983.tif 000005
【図５】
0003790983.tif 000006
【図６】
0003790983.tif 000007
【図７】
0003790983.tif 000008
【図８】
0003790983.tif 000009
【図９】
0003790983.tif 000010
【図１０】
0003790983.tif 000011